(57)【要約】【課題】通気路からの空気漏れを抑制することができるシートを提供する。【解決手段】内部に形成された通気路１Ａと上面に形成された送風口１Ｂを有するシートクッションパッド１を備え、通気路１Ａ内の空気を送風口１Ｂから送風可能に構成されたシートであって、シートクッションパッド１は、上面に第１凹部１１が形成されたパッド本体１０と、第１凹部１１に係合するとともに送風口１Ｂが形成されたカバー部材２０とを有し、カバー部材２０は、第１凹部１１に係合してパッド本体１０との間に通気路１Ａを形成するカバー本体２１と、カバー本体２１の周縁部のうちの少なくとも１つの辺から第１凹部１１の縁よりも水平方向外側に延びる延出縁部２２とを有する。【選択図】図５
2015047217.tif 000002
【特許請求の範囲】
【請求項１】
内部に形成された通気路と上面に形成された送風口を有するシートクッションパッドを備え、前記通気路内の空気を前記送風口から送風可能に構成されたシートであって、
前記シートクッションパッドは、上面に凹部が形成されたパッド本体と、前記凹部に係合するとともに前記送風口が形成されたカバー部材と、を有し、
前記カバー部材は、前記凹部に係合して前記パッド本体との間に前記通気路を形成するカバー本体と、前記カバー本体の周縁部のうちの少なくとも１つの辺から前記凹部の縁よりも水平方向外側に延びる延出縁部と、を有することを特徴とするシート。
【請求項２】
前記シートクッションパッドに被せられる表皮材を備え、
前記パッド本体には、前記表皮材に設けられる係合部が係合可能な表皮取付部材が前記凹部よりも水平方向外側に設けられ、
前記延出縁部は、前記表皮取付部材の近傍まで延びて前記係合部を前記表皮取付部材に係合させるための開口の一部を形成していることを特徴とする請求項１に記載のシート。
【請求項３】
前記延出縁部は、前記カバー本体の周縁部のうちの左右の辺から延びていることを特徴とする請求項１または請求項２に記載のシート。
【請求項４】
前記パッド本体は、前記カバー部材の左右両側に前記カバー部材よりも上に張り出した張出部を有し、
前記延出縁部は、前記張出部に対面する位置まで延びていることを特徴とする請求項３に記載のシート。
【請求項５】
前記延出縁部は、前記カバー本体の周縁部のうちの前側の辺から少なくとも前記パッド本体の前端部まで延びていることを特徴とする請求項１から請求項４のいずれか１項に記載のシート。
【請求項６】
前記パッド本体および前記カバー部材は、互いに対向して前記通気路を形成する通気凹部をそれぞれ有することを特徴とする請求項１から請求項５のいずれか１項に記載のシート。
【発明の詳細な説明】
【技術分野】
【０００１】
本発明は、シートクッションから空気を送風可能に構成されたシートに関する。
【背景技術】
【０００２】
従来より、シートクッションから着座者に空気を送風可能に構成された空調機能を有するシートが知られている。例えば、特許文献１には、ブロワから空気が送り込まれるＨ字型の通気路が形成されたパッドや、パッドの上面に形成された凹部に嵌め込まれ、通気路に連通する複数の孔が形成された板状のカバーを備える車両用シートが開示されている。
【先行技術文献】
【特許文献】
【０００３】
【特許文献１】特開２００９−９００１６号公報
【発明の概要】
【発明が解決しようとする課題】
【０００４】
ところで、従来の構成では、人がシートクッションに座った際にカバーやパッドが変形することで、カバーとパッドとの間に隙間ができ、その隙間から通気路内の空気が漏れる可能性があった。
【０００５】
そこで、本発明は、通気路からの空気漏れを抑制することができるシートを提供することを目的とする。
また、本発明は、着座フィーリングの低下抑制や向上を図ることを目的とする。
また、本発明は、通気路の断面積を確保することを目的とする。
【課題を解決するための手段】
【０００６】
前記した目的を達成するための本発明は、内部に形成された通気路と上面に形成された送風口を有するシートクッションパッドを備え、前記通気路内の空気を前記送風口から送風可能に構成されたシートであって、前記シートクッションパッドは、上面に凹部が形成されたパッド本体と、前記凹部に係合するとともに前記送風口が形成されたカバー部材と、を有し、前記カバー部材は、前記凹部に係合して前記パッド本体との間に前記通気路を形成するカバー本体と、前記カバー本体の周縁部のうちの少なくとも１つの辺から前記凹部の縁よりも水平方向外側に延びる延出縁部と、を有することを特徴とする。
【０００７】
このような構成によれば、カバー本体とパッド本体との間に隙間ができた場合であっても、延出縁部とパッド本体が接触することで隙間をシールできるため、通気路からの空気漏れを抑制することができる。また、パッド本体とカバー部材との接触面積を大きくできるので、パッド本体とカバー部材との間に隙間自体ができにくく、これによっても通気路からの空気漏れを抑制することができる。
【０００８】
前記したシートは、前記シートクッションパッドに被せられる表皮材を備え、前記パッド本体には、前記表皮材に設けられる係合部が係合可能な表皮取付部材が前記凹部よりも水平方向外側に設けられ、前記延出縁部は、前記表皮取付部材の近傍まで延びて前記係合部を前記表皮取付部材に係合させるための開口の一部を形成している構成とすることができる。
【０００９】
これによれば、表皮取付部材に取り付けられた表皮材によって延出縁部を比較的強固に押さえることができる。これにより、パッド本体とカバー部材との間に隙間がよりできにくくなるため、通気路からの空気漏れをより抑制することができる。
【００１０】
前記したシートにおいて、前記延出縁部は、前記カバー本体の周縁部のうちの左右の辺から延びている構成とすることができる。
【００１１】
これによれば、着座時に左右の延出縁部が浮き上がるなどした場合であっても、それは着座者から遠い位置で起こることになるため、着座フィーリングの低下を抑制することができる。
【００１２】
前記したシートにおいて、前記パッド本体は、前記カバー部材の左右両側に前記カバー部材よりも上に張り出した張出部を有し、前記延出縁部は、前記張出部に対面する位置まで延びている構成とすることができる。
【００１３】
これによれば、着座時に左右の延出縁部が浮き上がるなどした場合であっても、着座者に違和感を与えることがないため、着座フィーリングを向上させることができる。
【００１４】
また、前記したシートにおいて、前記延出縁部は、前記カバー本体の周縁部のうちの前側の辺から少なくとも前記パッド本体の前端部まで延びている構成とすることができる。
【００１５】
これによれば、シートクッションパッドの上面に前側の延出縁部とパッド本体との境目がなくなるため、着座時にシートクッションパッドの上面前部に段差ができない。これにより、着座フィーリングの低下を抑制することができる。
【００１６】
前記したシートにおいて、前記パッド本体および前記カバー部材は、互いに対向して前記通気路を形成する通気凹部をそれぞれ有する構成とすることができる。
【００１７】
これによれば、パッド本体およびカバー部材のうちの一方に通気凹部を形成しない構成と比較して、通気路の断面積を確保することができる。
【発明の効果】
【００１８】
本発明によれば、カバー部材が延出縁部を有することで、隙間をシールしたり、隙間自体をできにくくしたりできるため、通気路からの空気漏れを抑制することができる。
【００１９】
また、本発明によれば、延出縁部をパッド本体の表皮取付部材の近傍まで延ばし、表皮材を表皮取付部材に係合させるための開口の一部を形成させることで、パッド本体とカバー部材との間に隙間がよりできにくくなるため、空気漏れをより抑制することができる。
【００２０】
また、本発明によれば、延出縁部をカバー本体の周縁部のうちの左右の辺から延ばすことで、着座時に左右の延出縁部が浮き上がるなどした場合であっても、着座者から遠い位置で起こることになるため、着座フィーリングの低下を抑制することができる。
【００２１】
また、本発明によれば、延出縁部をパッド本体の左右の張出部に対面する位置まで延ばすことで、着座時に左右の延出縁部が浮き上がるなどした場合であっても、着座者に違和感を与えることがないため、着座フィーリングを向上させることができる。
【００２２】
また、本発明によれば、延出縁部をカバー本体の周縁部のうちの前側の辺からパッド本体の前端部まで延ばすことで、着座時にシートクッションパッドの上面前部に段差ができないため、着座フィーリングの低下を抑制することができる。
【００２３】
また、本発明によれば、パッド本体およびカバー部材が通気路を形成する通気凹部をそれぞれ有する構成とすることで、通気路の断面積を確保することができる。
【図面の簡単な説明】
【００２４】
【図１】実施形態に係るシートの一例としての車両用シートの斜視図である。
【図２】シートクッションパッドの分解斜視図である。
【図３】パッド本体の斜視図である。
【図４】下面側から見たカバー部材の破断斜視図である。
【図５】図３のＸ−Ｘ断面に相当するシートクッションの断面図である。
【図６】図３のＹ−Ｙ断面に相当するシートクッションパッドの断面図である。
【図７】実施形態に係る車両用シートの延出縁部の作用効果を説明する図（ａ）と、比較例を示す図（ｂ）である。
【図８】実施形態に係る車両用シートの位置決め凸部および位置決め凹部の作用効果を説明する図である。
【図９】変形例に係るパッド本体と下面側から見たカバー部材の破断斜視図である。
【図１０】変形例に係る車両用シートの位置決め凸部および位置決め凹部の作用効果を説明する図である。
【発明を実施するための形態】
【００２５】
以下、本発明の一実施形態について、適宜図面を参照しながら詳細に説明する。
図１に示すように、本実施形態に係るシートは、自動車の運転席や助手席などに使用される車両用シートＳとして構成され、乗員が着座するシートクッションＳ１と、乗員の上体を支持するシートバックＳ２と、乗員の頭部を支持可能なヘッドレストＳ３とを主に備えている。
【００２６】
シートクッションＳ１は、図示しない金属製のフレームと、ウレタンフォームなどのクッション材からなるシートクッションパッド１と、合成皮革や布地などからなる表皮材２とを主に備え、フレームにシートクッションパッド１を被せ、さらにシートクッションパッド１に表皮材２を被せることで構成されている。
【００２７】
詳細な構成については後述するが、シートクッションパッド１は、内部に形成された通気路１Ａ（図５参照）と上面に形成された複数の送風口１Ｂを有し、図示しないブロワなどから通気路１Ａ内に送り込まれた空気を図１に矢印で示すように送風口１Ｂから乗員に向けて送風可能に構成されている。なお、図示は省略するが、表皮材２が通気性の低い材料から形成されている場合には、表皮材２の送風口１Ｂと対応する位置には空気を通すための穴が形成される。
【００２８】
図２に示すように、シートクッションパッド１は、シートクッションＳ１のフレームに被せられるパッド本体１０と、上面に複数の送風口１Ｂが形成されたカバー部材２０とを主に有している。なお、パッド本体１０とカバー部材２０は、材質が同じであってもよいし、異なっていてもよい。
【００２９】
パッド本体１０の上面のうち、左右方向中央部の前側部分には、後側部分である中央後部１０Ｂよりも凹んだ形状をなしてカバー部材２０が係合可能な係合凹部１０Ａが形成されている。図３に示すように、係合凹部１０Ａは、本発明における凹部としての第１凹部１１と、第１凹部１１の周囲で第１凹部１１の底部１１Ａよりも１段高く形成された第２凹部１２とから構成されている。第１凹部１１内には、底部１１Ａよりも凹んだ形状の本体側通気凹部１５と、底部１１Ａから上方に突出する位置決め凸部１６が主に形成されている。
【００３０】
本体側通気凹部１５は、後述するカバー部材２０のカバー側通気凹部２５（図５参照）と対向して通気路１Ａを形成する溝であり、平面視略Ｕ字形状に形成されている。この本体側通気凹部１５の左右方向中央付近には、パッド本体１０を上下に貫通する貫通穴１５Ａが形成されている。貫通穴１５Ａは、通気路１Ａ内に空気を送り込むための穴である。
【００３１】
位置決め凸部１６は、底部１１Ａの前側部分の左右方向中央部付近に配置されている。この位置決め凸部１６は、左右方向の幅が後側よりも前側の方が大きくなるようなテーパ面を側面として有する平面視略台形状に形成されている。
【００３２】
図３および図５に示すように、パッド本体１０は、係合凹部１０Ａ（カバー部材２０）や中央後部１０Ｂの左右両側に、カバー部材２０や中央後部１０Ｂの上面よりも上に張り出した張出部１０Ｓを有している。また、パッド本体１０の左右両端部には、表皮材２に設けられるフック状の係合部２Ｈが係合可能な表皮取付部材の一例としての表皮取付ワイヤ５０がそれぞれ設けられている。より詳細に説明すると、表皮取付ワイヤ５０は、前後方向に沿って延び、第１凹部１１よりも水平方向（左右方向）外側であって、張出部１０Ｓと係合凹部１０Ａとの境界付近のパッド本体１０内に埋設された状態で配置されている。この表皮取付ワイヤ５０は、その一部がパッド本体１０に形成された穴１０Ｃから露出しており、この露出した部分に表皮材２の係合部２Ｈを係合させることで、表皮材２がパッド本体１０（シートクッションパッド１）に固定される。
【００３３】
図４および図５に示すように、カバー部材２０は、パッド本体１０の係合凹部１０Ａに接着されることなく係合することでパッド本体１０の上に配置されてパッド本体１０との間に通気路１Ａを形成する部材であり、カバー本体２１と、延出縁部２２と、前端部２３（図６参照）とを主に有している。図６に示すように、係合凹部１０Ａに係合したカバー部材２０の上面は、パッド本体１０の中央後部１０Ｂの上面と略面一となる。なお、図４は、下面側から見たカバー部材２０の斜視図であるが、後述するカバー側通気凹部２５や位置決め凹部２６を分かりやすく示すため、前端部２３を破断した状態で示している。
【００３４】
図４および図５に示すように、カバー本体２１は、主にその下部がパッド本体１０の第１凹部１１に係合してパッド本体１０との間に通気路１Ａを形成する部分である。このカバー本体２１の下面には、カバー側通気凹部２５と、位置決め凹部２６が形成されている。
【００３５】
カバー側通気凹部２５は、カバー部材２０がパッド本体１０の係合凹部１０Ａに係合したときに本体側通気凹部１５と互いに対向してパッド本体１０との間に通気路１Ａを形成する溝であり、本体側通気凹部１５と同様に平面視略Ｕ字形状に形成されている。このカバー側通気凹部２５の底面には、送風口１Ｂと連通する複数の連通穴２５Ａが形成されている。通気路１Ａ内に送り込まれた空気は、この連通穴２５Ａを通って送風口１Ｂから送風される。
【００３６】
位置決め凹部２６は、パッド本体１０の位置決め凸部１６と嵌合する凹部であり、カバー本体２１の下面の前側部分の左右方向中央部付近に配置されている。この位置決め凹部２６は、位置決め凸部１６と同様に、左右方向の幅が後側よりも前側の方が大きくなるような平面視略台形状に形成されている。
【００３７】
図４に示すように、延出縁部２２は、カバー本体２１の周縁部の各辺の上部から第１凹部１１の縁よりも水平方向外側（前後方向外側や左右方向外側）に突出するように延びる部分である。この延出縁部２２は、カバー本体２１の周縁部のうちの左右の辺から延びている左側縁部２２Ｌおよび右側縁部２２Ｒと、カバー本体２１の周縁部のうちの前側の辺から延びている前側縁部２２Ｆと、カバー本体２１の周縁部のうちの後側の辺から延びている後側縁部２２Ｂとから構成され、前側縁部２２Ｆ、左側縁部２２Ｌ、後側縁部２２Ｂおよび右側縁部２２Ｒが、カバー本体２１を取り囲むように連続して略フランジ状に形成されている。カバー部材２０が、パッド本体１０の係合凹部１０Ａに係合したとき、延出縁部２２は、パッド本体１０の第２凹部１２に入り込む。
【００３８】
図５に示すように、左側縁部２２Ｌおよび右側縁部２２Ｒは、それぞれ、パッド本体１０の張出部１０Ｓに対面する位置まで延びている。より詳細に、左側縁部２２Ｌおよび右側縁部２２Ｒは、それぞれ、表皮取付ワイヤ５０の近傍まで延びて、その端面が、パッド本体１０との間で、表皮材２を吊り込んだり、表皮材２の係合部２Ｈを表皮取付ワイヤ５０に係合させたりするための開口の一例としての吊り込み溝１Ｃの壁の一部を形成している。また、図６に示すように、前側縁部２２Ｆは、パッド本体１０の前端部１０Ｆよりも前側まで延びている。
【００３９】
前端部２３は、前側縁部２２Ｆから連続してパッド本体１０の前端部１０Ｆに沿うように下方に延びる部分である。言い換えると、前端部２３は、パッド本体１０の前端部１０Ｆを前側から覆うように下方に延びている。
【００４０】
次に、以上のように構成された車両用シートＳの作用効果について説明する。
なお、参考として示す図７（ｂ）の比較例は、シートクッションパッド１０１に表皮材１０２を被せることで構成されたシートクッションＳ１０１である。シートクッションＳ１０１のシートクッションパッド１０１は、パッド本体１１０と、パッド本体１１０の上面に形成された凹部１１０Ａに嵌め込まれた平板状のカバー部材１２０とを有し、パッド本体１１０とカバー部材１２０との間に通気路１０１Ａが形成されている。
【００４１】
図７（ｂ）に示す比較例では、シートクッションＳ１０１に乗員が着座したとき、前から見て、カバー部材１２０の左右方向中央が沈み込んで弓なりに変形することで、その周縁部分がパッド本体１１０から浮き上がろうとする。これにより、カバー部材１２０の端部とパッド本体１１０との間に段差ができ、この段差が表皮材１０２を介して乗員に当たることで着座フィーリングが低下する。また、カバー部材１２０の端部とパッド本体１１０との間に隙間ができ、この隙間から通気路１０１Ａ内の空気が漏れる可能性がある。
【００４２】
一方、図６や図７（ａ）に示す本実施形態では、カバー部材２０がカバー本体２１の周縁部から延びる延出縁部２２を有することで、仮にカバー本体２１の端部とパッド本体１０との間に隙間ができたとしても、延出縁部２２とパッド本体１０が接触することで隙間をシールできるため、通気路１Ａからの空気漏れを抑制することができる。また、カバー本体２１の周縁部から延びる延出縁部２２を有することで、パッド本体１０とカバー部材２０との接触面積を大きくできるので、パッド本体１０とカバー部材２０との間に隙間自体ができにくく、これによっても通気路１Ａからの空気漏れを抑制することができる。
【００４３】
また、延出縁部２２のうち左側縁部２２Ｌおよび右側縁部２２Ｒは、表皮取付ワイヤ５０の近傍まで延びて表皮材２を係合させるための吊り込み溝１Ｃの一部を形成しているため、表皮取付ワイヤ５０に取り付けられた表皮材２によって比較的強固に押さえられることとなる。これにより、パッド本体１０とカバー部材２０との間に隙間がよりできにくくなるため、通気路１Ａからの空気漏れをより抑制することができる。
【００４４】
また、着座フィーリングの観点から言えば、図６に示すように、延出縁部２２のうち前側縁部２２Ｆは、パッド本体１０の前端部１０Ｆまで延びているので、シートクッションパッド１の上面に前側縁部２２Ｆとパッド本体１０との境目がない。これにより、着座時に仮に前側縁部２２Ｆが浮き上がっても、シートクッションパッド１の上面前部に段差はできないため、着座フィーリングの低下を抑制することができる。
【００４５】
また、本実施形態では、カバー部材２０の前端部２３がパッド本体１０の前端部１０Ｆを覆うように下方にまで延びているので、着座時に前端部２３が浮き上がったとしても、シートクッションパッド１の前端部にも段差はできない。これにより、着座フィーリングを向上させることができる。
【００４６】
また、図７（ａ）に示すように、延出縁部２２のうち左側縁部２２Ｌおよび右側縁部２２Ｒは、カバー本体２１の周縁部のうちの左右の辺から延びて乗員から遠ざかっているので、着座時に仮に左側縁部２２Ｌおよび右側縁部２２Ｒが浮き上がっても、それは乗員から遠い位置で起こることになるため、着座フィーリングの低下を抑制することができる。
【００４７】
さらに言えば、左側縁部２２Ｌおよび右側縁部２２Ｒは、パッド本体１０の張出部１０Ｓに対面する位置まで延びているため、着座時に左側縁部２２Ｌおよび右側縁部２２Ｒが浮き上がったとしても、乗員に違和感を与えることはない。これにより、着座フィーリングを向上させることができる。また、上記したとおり、左側縁部２２Ｌおよび右側縁部２２Ｒは、表皮材２によって比較的強固に押さえられるため、そもそも浮き上がりにくくなっており、着座フィーリングをより向上させることができる。
【００４８】
なお、図７（ｂ）に示す比較例では、着座時にカバー部材１２０の左右方向中央が沈み込むことで、その周縁部分が中央に向けて引っ張られ、カバー部材１２０の端面とパッド本体１１０との間に隙間ができやすくなっている。これにより、カバー部材１２０の端部が浮き上がりやすくなって、段差ができたり、隙間ができたりすることとなる。一方、図７（ａ）に示す本実施形態では、位置決め凸部１６と位置決め凹部２６の形成部分の特に左右両側において、カバー本体２１の端面とパッド本体１０との間に隙間ができにくくなっている。これは、カバー部材２０の左右方向中央が沈み込んでその周縁部分が中央に向けて引っ張られても、位置決め凹部２６の側面が位置決め凸部１６の側面に当たることで、カバー部材２０の周縁部分のうち位置決め凹部２６よりも外側の部分が中央に向けて引っ張られにくくなっているためである。これにより、カバー部材２０の端部の浮き上がりが抑制されるため、着座フィーリングをより向上させることができるとともに、カバー部材２０の端部とパッド本体１０との間に隙間ができにくいので通気路１Ａからの空気漏れを一層抑制することができる。
【００４９】
また、本実施形態では、パッド本体１０の上面に形成された位置決め凸部１６と、カバー部材２０の下面に形成された位置決め凹部２６とが嵌合することで、パッド本体１０とカバー部材２０を接着剤などで接着しない構成においても、パッド本体１０に対するカバー部材２０のずれを抑制することができる。
【００５０】
特に本実施形態では、図８に示すように、位置決め凸部１６と位置決め凹部２６は、左右方向の幅が後側よりも前側の方が大きくなるような平面視略台形状に形成されているため、互いに嵌合したときに左右の面がいわば噛み合うことで、特にパッド本体１０に対するカバー部材２０の前方へのずれを効果的に抑制することができる。
【００５１】
また、本実施形態では、位置決め凸部１６と位置決め凹部２６がシートクッションパッド１の前側部分の左右方向中央部、言い換えれば、乗員の左右の大腿部の間に対応する位置付近に形成されているので、位置決め凸部１６と位置決め凹部２６の形成部分に真上から荷重がかかりにくくなっている。そのため、位置決め凸部１６や位置決め凹部２６の大きな変形を抑制できるので、位置決め凸部１６と位置決め凹部２６との係合状態を良好に保つことができ、パッド本体１０に対するカバー部材２０のずれをより抑制することができる。
【００５２】
また、図５に示すように、本実施形態では、パッド本体１０とカバー部材２０の両方が通気路１Ａを形成するための通気凹部１５，２５を有するので、どちらか一方だけが通気凹部を有する構成と比較して、通気路１Ａの断面積を確保することができる。これにより、乗員の着座によって変形するシートクッションパッド１内において、空気を通すためのスペースを確保することができる。
【００５３】
以上、本発明の実施形態について説明したが、本発明は前記実施形態に限定されるものではない。具体的な構成については、下記のように本発明の趣旨を逸脱しない範囲で適宜変更が可能である。
【００５４】
前記実施形態では、パッド本体１０の上面に位置決め凸部１６が形成され、カバー部材２０の下面に位置決め凹部２６が形成されていたが、これに限定されるものではない。例えば、図９に示すように、パッド本体１０の上面に位置決め凹部１７が形成され、カバー部材２０の下面に位置決め凸部２７が形成されていてもよい。この場合、位置決め凹部１７および位置決め凸部２７の左右方向の幅は、前記実施形態とは逆に、前側よりも後側の方が大きくなるように形成されていることが望ましい。これによれば、図１０に示すように、互いに嵌合したときに左右の面が噛み合うことで、パッド本体１０に対するカバー部材２０の前方へのずれを効果的に抑制することができる。
【００５５】
なお、前記実施形態や図９に示した形態では、位置決め凸部１６，２７や位置決め凹部２６，１７は、その左右の面が略平面状の傾斜面として形成されていたが、これに限定されず、例えば、１段以上の段差を有する階段状の面として形成されていてもよい。また、前記実施形態や図９に示した形態では、位置決め凸部１６，２７と位置決め凹部２６，１７がシートクッションパッド１の前側部分の左右方向中央部に１組形成されていたが、これに限定されるものではない。例えば、位置決め凸部と位置決め凹部は、シートクッションパッドの前側部分の左右方向中央部以外に形成されていてもよいし、２組以上形成されていてもよい。
【００５６】
前記実施形態では、延出縁部２２が、カバー本体２１を取り囲むように、カバー本体２１の周縁部の各辺から延びるように形成されていたが、これに限定されるものではない。例えば、延出縁部は、カバー本体の周縁部のうち左右の辺だけから延びるように形成されていてもよいし、カバー本体の周縁部のうち前側の辺だけから延びるように形成されていてもよい。
【００５７】
前記実施形態では、カバー部材２０の前端部２３がパッド本体１０の前端部１０Ｆを覆っていたが、これに限定されるものではない。例えば、図６を参考にして説明すると、カバー部材２０は、前端部２３を有しない構成（パッド本体１０の前端部１０Ｆを覆っていない構成）であってもよい。この場合であっても、カバー部材２０（前側縁部２２Ｆ）は、パッド本体１０の前端部１０Ｆまで延びて、パッド本体１０の上面を覆っていることが望ましい。これにより、シートクッションパッド１の上面にパッド本体１０とカバー部材２０との境目ができないため、着座時にシートクッションパッド１の上面前部に段差ができず、着座フィーリングの低下を抑制することができる。
【００５８】
前記実施形態では、パッド本体１０とカバー部材２０の両方に通気路１Ａを形成する通気凹部１５，２５が形成されていたが、これに限定されるものではない。例えば、通気凹部は、パッド本体だけに形成されていてもよいし、カバー部材だけに形成されていてもよい。
【００５９】
前記実施形態では、本発明を自動車で使用されるシート（車両用シートＳ）に適用した例を示したが、これに限定されず、その他の乗物、例えば、鉄道車両や船舶、航空機などで使用されるシートに適用することもできる。また、本発明は、乗物用シートに限定されず、例えば、映画館などの公共施設や家庭などで使用されるシートに適用することもできる。
【符号の説明】
【００６０】
１      シートクッションパッド
１Ａ    通気路
１Ｂ    送風口
１Ｃ    吊り込み溝
２      表皮材
２Ｈ    係合部
１０    パッド本体
１０Ｆ  前端部
１０Ｓ  張出部
１１    第１凹部
１５    本体側通気凹部
２０    カバー部材
２１    カバー本体
２２    延出縁部
２２Ｆ  前側縁部
２２Ｌ  左側縁部
２２Ｒ  右側縁部
２５    カバー側通気凹部
５０    表皮取付ワイヤ
Ｓ      車両用シート
【図１】
2015047217.tif 000003
【図２】
2015047217.tif 000004
【図３】
2015047217.tif 000005
【図４】
2015047217.tif 000006
【図５】
2015047217.tif 000007
【図６】
2015047217.tif 000008
【図７】
2015047217.tif 000009
【図８】
2015047217.tif 000010
【図９】
2015047217.tif 000011
【図１０】
2015047217.tif 000012